(57)【要約】【課題】機器についての情報がユーザに受け入れられやすくなる情報提示方法、プログラム、及び情報提示システムを提供する。【解決手段】情報提示方法は、取得ステップと、決定ステップと、提示ステップと、を有する。取得ステップでは、施設１に設置されている１台以上の機器２を操作対象として、操作対象の監視と制御との少なくとも一方のための機器操作を操作端末３にて実行するユーザの属性を取得する。決定ステップでは、ユーザの属性に応じて、操作端末３に提示させる提示情報の態様を決定する。提示ステップでは、決定ステップで決定された態様にて、機器操作に際して提示情報を操作端末３に提示させる。【選択図】図１
2018165918.tif 000002
【特許請求の範囲】
【請求項１】
施設に設置されている１台以上の機器を操作対象として、前記操作対象の監視と制御との少なくとも一方のための機器操作を操作端末にて実行するユーザの属性を取得する取得ステップと、
前記ユーザの属性に応じて、前記操作端末に提示させる提示情報の態様を決定する決定ステップと、
前記決定ステップで決定された前記態様にて、前記機器操作に際して前記提示情報を前記操作端末に提示させる提示ステップと、
を有する情報提示方法。
【請求項２】
前記操作対象は複数台の機器からなり、
前記決定ステップでは、前記複数台の機器の各々について、前記ユーザの属性に応じて前記提示情報の態様を決定する
請求項１に記載の情報提示方法。
【請求項３】
前記複数台の機器の各々について、前記ユーザの属性ごとに利用回数を計測する計測ステップを更に有し、
前記決定ステップでは、前記複数台の機器の各々について、前記ユーザの属性に対応する前記利用回数に基づいて、前記提示情報の態様を決定する
請求項２に記載の情報提示方法。
【請求項４】
前記決定ステップでは、前記ユーザの属性が特定の属性である場合に、前記提示情報の態様を、前記複数台の機器にて共通化する
請求項２又は３に記載の情報提示方法。
【請求項５】
前記決定ステップでは、前記提示情報の態様を、前記ユーザの属性に応じて２段階で変化させる
請求項１〜４のいずれか１項に記載の情報提示方法。
【請求項６】
前記決定ステップでは、前記提示情報の態様を、前記ユーザの属性に応じて３段階以上で変化させる
請求項１〜４のいずれか１項に記載の情報提示方法。
【請求項７】
前記ユーザの属性の変化に応じて前記提示情報の態様を変化させる更新ステップを更に有する
請求項１〜６のいずれか１項に記載の情報提示方法。
【請求項８】
コンピュータシステムに、
請求項１〜７のいずれか１項に記載の情報提示方法を実行させるためのプログラム。
【請求項９】
施設に設置されている１台以上の機器を操作対象として、前記操作対象の監視と制御との少なくとも一方のための機器操作を操作端末にて実行するユーザの属性を取得する取得部と、
前記ユーザの属性に応じて、前記操作端末に提示させる提示情報の態様を決定する決定部と、
前記決定部で決定された前記態様にて、前記機器操作に際して前記提示情報を前記操作端末に提示させる提示部と、
を備える情報提示システム。
【発明の詳細な説明】
【技術分野】
【０００１】
本発明は、一般に情報提示方法、プログラム、及び情報提示システムに関し、より詳細には、施設に設置されている機器の操作に際して操作端末に情報を提示させる情報提示方法、プログラム、及び情報提示システムに関する。
【背景技術】
【０００２】
従来、データ伝送路を介して接続される１又は複数の機器を管理する機器管理装置が知られている（例えば、特許文献１参照）。
【０００３】
特許文献１に記載の機器管理装置では、管理対象機器は、例えば、オフィス業務内の作業で利用される画像処理装置等である。この機器管理装置は、機器から取得した機器情報に基づき、機器（管理対象機器）を一元管理する。特許文献１には、機器管理装置による処理結果を表示装置に表示することが記載されている。
【先行技術文献】
【特許文献】
【０００４】
【特許文献１】特開２０１１−２２７８１８号公報
【発明の概要】
【発明が解決しようとする課題】
【０００５】
ところで、例えば、上述したような機器管理装置等においては、機器についての情報（処理結果）は、情報を表示する相手、つまりユーザに依らずに一様の態様で提示（表示）される。そのため、ユーザによっては提示される情報の意味が分かりにくかったり、ユーザの注目が得られなかったりして、機器についての情報がユーザに十分に受け入れられない可能性がある。
【０００６】
本発明は上記事由に鑑みてなされており、機器についての情報がユーザに受け入れられやすくなる情報提示方法、プログラム、及び情報提示システムを提供することを目的とする。
【課題を解決するための手段】
【０００７】
本発明の一態様に係る情報提示方法は、取得ステップと、決定ステップと、提示ステップと、を有する。前記取得ステップでは、施設に設置されている１台以上の機器を操作対象として、前記操作対象の監視と制御との少なくとも一方のための機器操作を操作端末にて実行するユーザの属性を取得する。前記決定ステップでは、前記ユーザの属性に応じて、前記操作端末に提示させる提示情報の態様を決定する。前記提示ステップでは、前記決定ステップで決定された前記態様にて、前記機器操作に際して前記提示情報を前記操作端末に提示させる。
【０００８】
本発明の一態様に係るプログラムは、コンピュータシステムに、上記情報提示方法を実行させるためのプログラムである。
【０００９】
本発明の一態様に係る情報提示システムは、取得部と、決定部と、提示部と、を備える。前記取得部は、施設に設置されている１台以上の機器を操作対象として、前記操作対象の監視と制御との少なくとも一方のための機器操作を操作端末にて実行するユーザの属性を取得する。前記決定部は、前記ユーザの属性に応じて、前記操作端末に提示させる提示情報の態様を決定する。前記提示部は、前記決定部で決定された前記態様にて、前記機器操作に際して前記提示情報を前記操作端末に提示させる。
【発明の効果】
【００１０】
本発明は、機器についての情報がユーザに受け入れられやすくなる、という利点がある。
【図面の簡単な説明】
【００１１】
【図１】図１は、本発明の一実施形態に係る情報提示システムの全体構成を示すシステム構成図である。
【図２】図２は、同上の情報提示システムの要部のブロック図である。
【図３】図３は、同上の情報提示システムのサーバの動作を示すフローチャートである。
【発明を実施するための形態】
【００１２】
（１）概要
本実施形態に係る情報提示システム１０は、図１に示すように、施設１に設置されている１台以上の機器２Ａ〜２Ｈを操作対象とし、操作対象の操作に際して操作端末３Ａ〜３Ｃに情報を提示させるためのシステムである。本実施形態では、一例として、施設１が戸建住宅、又は集合住宅の各住戸等の住宅である場合について説明する。情報提示システム１０による情報の提示先は、例えば、施設１を使用する人（ユーザ）であって、施設１が住宅である場合、通常は施設１の住人である。以下、複数台の機器２Ａ〜２Ｈを特に区別しない場合、複数台の機器２Ａ〜２Ｈの各々を「機器２」と呼ぶ。また、複数台の操作端末３Ａ〜３Ｃを特に区別しない場合、複数台の操作端末３Ａ〜３Ｃの各々を「操作端末３」と呼ぶ。
【００１３】
ここでいう「操作対象の操作」は、操作対象の監視と制御との少なくとも一方のための操作であって、操作端末３にて実行される。「操作対象」は、情報提示システム１０を用いた操作の対象を意味し、施設１に設置されている１台以上の機器２である。すなわち、情報提示システム１０によれば、施設１に設置されている１台以上の機器２（操作対象）の監視、制御、又は監視及び制御の両方のための機器操作が操作端末３にて実行される際に、操作端末３にて情報が提示される。
【００１４】
機器操作に際して情報提示システム１０が操作端末３に提示させる情報を「提示情報」という。ここでいう「提示情報」は、操作端末３を用いたユーザの機器操作を支援するための情報である。言い換えれば、「提示情報」は、操作端末３において、ユーザに情報を出力したり、ユーザからの入力を受け付けたりするための、ユーザインタフェース（ＨＭＩ：Human Machine Interface）に相当する。例えば、操作対象が空調機器である場合における監視のための機器操作においては、「提示情報」には、空調機器の運転／停止、運転モード、及び設定温度等の、機器２の状態を表す情報が含まれる。また、例えば、操作対象が空調機器ある場合における制御のための機器操作においては、「提示情報」には、空調機器の運転／停止、運転モード、及び設定温度等を切り替えるための操作を受け付ける操作画面の情報が含まれる。さらに、機器操作が操作端末３とユーザとの対話形式で行われる場合には、機器操作のために操作端末３からユーザに提示される種々の情報が、「提示情報」に含まれる。例えば、情報の提示が情報の表示によって実現される場合には、機器操作に際して操作端末３に表示される画面を構成する情報が、提示情報に相当する。また、例えば、情報の提示が音声によって実現される場合には、機器操作に際して操作端末３から出力される音声を構成する情報が、提示情報に相当する。
【００１５】
このように、情報提示システム１０は、施設１に設置されている１台以上の機器２の監視、制御、又は監視及び制御のための機器操作に際し、機器操作に関連する提示情報を操作端末３にて提示することによって、ユーザに対して種々のサービスを提供する。情報提示システム１０は、例えば、機器２の状態に変化があったときにその旨をユーザに知らせるサービス、及びユーザからの指示に従って機器２を制御したりするサービス等を、施設１の住人等に提供できる。
【００１６】
ここで、情報提示システム１０は、操作端末３に提示させる提示情報の態様を、機器操作を実行するユーザの属性に応じて決定する。ここでいう「ユーザの属性」は、例えば、ユーザを識別するための識別情報、並びにユーザの名前、年齢、性別、及びその他の生体情報（指紋、声紋、及び虹彩等）等である。また、施設１の住人が複数人いる場合、複数人のユーザ内でのユーザ同士の関係性（例えば、父、母、兄、及び妹等）が、ユーザの属性に含まれていてもよい。すなわち、情報提示システム１０では、例えば、操作端末３にて機器操作を実行するユーザが、大人か子供かによって、操作端末３に提示させる提示情報の態様を変えることができる。ここでいう「提示情報の態様」は、例えば、提示情報の文体、言い回し（言葉づかい）、及び語尾等である。また、提示情報の提示が情報の表示によって実現される場合には、操作端末３に表示される画面のレイアウト、色、並びに文字の書体及び大きさ等が、提示情報の態様に含まれる。また、提示情報の提示が音声によって実現される場合には、音声のトーン、音量、及び再生速度等が、提示情報の態様に含まれる。
【００１７】
要するに、本実施形態に係る情報提示システム１０は、機器操作に際して操作端末３に提示される提示情報がどのような態様で提示されるかが、機器操作を実行するユーザの属性によって変化する。言い換えれば、情報提示システム１０が、機器操作のために操作端末３に提示させる情報の態様は、固定的ではなく、実際に機器操作を行うユーザによって変化する。したがって、情報提示システム１０によれば、機器２についての情報がユーザに受け入れられやすくなる、という利点がある。
【００１８】
本実施形態に係る情報提示システム１０は、例えば、コンピュータシステムにて実現される。コンピュータシステムは、施設１の外部に設置されたサーバ４を主構成として備えている。サーバ４は、例えば、インターネット等のネットワーク５を介して、施設１に設置された機器２、及び施設１のユーザが使用する操作端末３と、通信可能に構成されている。図１の例では、機器２及び操作端末３は、施設１に設置されたルータ６を介してネットワーク５に接続されている。ただし、ルータ６は、コンピュータシステムに必須の構成ではない。
【００１９】
また、実際には、情報提示システム１０は複数の施設１に導入され、複数の施設１を対象にして、機器操作に際して操作端末３に提示情報を提示させるサービスを提供する。そのため、サーバ４は、複数の施設１に設置された複数の機器２、及び複数の施設１のユーザが使用する複数の操作端末３と通信可能に構成されている。ただし、本実施形態では、説明を簡単にするために、１つの施設１に着目して説明する。
【００２０】
（２）詳細
次に、本実施形態に係る情報提示システム１０について、より詳細に説明する。
【００２１】
（２．１）前提
以下では、施設１には父、母、兄、及び妹の４人家族が住んでおり、施設１が、図１に示すように、寝室Ｒ１、兄の部屋（子供部屋）Ｒ２、妹の部屋（子供部屋）Ｒ３、及びリビングＲ４の４つの部屋を有する戸建住宅である場合を想定する。
【００２２】
施設１には、操作対象として、複数台（ここでは８台）の機器２Ａ〜２Ｈが設置されている。機器２Ａ，２Ｃ，２Ｅ，２Ｇはいずれも空調機器であって、それぞれ寝室Ｒ１、兄の部屋Ｒ２、妹の部屋Ｒ３、リビングＲ４に設置されている。機器２Ｂ，２Ｄ，２Ｆ，２Ｈはいずれも照明機器であって、それぞれ寝室Ｒ１、兄の部屋Ｒ２、妹の部屋Ｒ３、リビングＲ４に設置されている。
【００２３】
これら複数台の機器２の各々は、サーバ４及び操作端末３との通信機能を有している。具体的には、機器２は、ルータ６との間で、Ｗｉ−Ｆｉ（登録商標）に準拠した近距離無線通信を行う。ルータ６は、ネットワーク５に接続されているので、複数台の機器２の各々は、ルータ６を介してネットワーク５に接続されることになる。これにより、詳しくは後述するが、操作対象となる複数台の機器２の各々は、ネットワーク５に接続されたサーバ４及び操作端末３との間で通信可能となる。
【００２４】
また、複数台の機器２には、固有の機器ＩＤ（Identification）が割り当てられている。これにより、情報提示システム１０において、機器ＩＤによって複数台の機器２を識別可能となる。
【００２５】
（２．２）構成
次に、本実施形態に係る情報提示システム１０の構成について、図１及び図２を参照しながら説明する。情報提示システム１０は、上述したようにサーバ４を主構成として備えている。さらに、本実施形態では、操作端末３についても、情報提示システム１０の構成要素に含まれることとして説明する。
【００２６】
操作端末３は、施設１に対応付けて登録されている。具体的には、例えば、操作端末３には固有の端末ＩＤ（Identification）が割り当てられている。図１の例では、寝室Ｒ１にある操作端末３Ａ、兄の部屋Ｒ２にある操作端末３Ｂ、並びにリビングＲ４にある操作端末３Ｃ及び操作端末３Ｄの計４台が、操作端末３として用いられる。ここでは、操作端末３は、いずれもスマートフォン又はタブレット端末等の、ネットワーク５に接続可能な携帯情報端末である場合を想定する。また、本実施形態では、操作端末３Ａの所有者は「父」、操作端末３Ｂの所有者は「兄」、操作端末３Ｃの所有者は「母」、操作端末３Ｄの所有者は「妹」であることと仮定して説明する。このように、本実施形態では操作端末３と、操作端末３を使用するユーザとが一対一に対応しているので、操作端末３の端末ＩＤが、ユーザを識別するための識別情報として用いられる。
【００２７】
操作端末３は、図２に示すように、表示部３１と、音声出力部３２と、入力部３３と、端末通信部３４と、制御部３５と、を有している。操作端末３は、ＣＰＵ（Central Processing Unit）及びメモリを有するコンピュータを主構成とする。操作端末３は、専用のアプリケーションソフトをインストールし、このアプリケーションソフトを起動することにより、少なくともサーバ４から提供されるコンテンツを表示するブラウザとして機能する。アプリケーションソフト（プログラム）は、コンピュータのメモリに予め記録されていてもよいし、電気通信回線を通じて提供されてもよいし、メモリカード等の記録媒体に記録されて提供されてもよい。
【００２８】
表示部３１は、例えば、液晶ディスプレイを含み、任意の文字、画像、及び記号等を表示する。音声出力部３２は、スピーカを含み、任意の音声を出力する。
【００２９】
入力部３３は、ユーザ（操作端末３の所有者）の操作を受け付ける機能を有している。本実施形態では、操作端末３はタッチパネルディスプレイを搭載しており、タッチパネルディスプレイが表示部３１及び入力部３３として機能する。ただし、入力部３３は、タッチパネルディスプレイに限らず、例えば、キーボード、ポインティングデバイス、又はメカニカルなスイッチ等であってもよい。
【００３０】
端末通信部３４は、ネットワーク５に接続されることで、操作端末３とサーバ４との間の通信を可能にする。一例として、端末通信部３４は、ルータ６との間で、Ｗｉ−Ｆｉ（登録商標）に準拠した近距離無線通信を行う。ルータ６は、ネットワーク５に接続されているので、操作端末３は、ルータ６を介してネットワーク５に接続されることになる。
【００３１】
制御部３５は、表示部３１、音声出力部３２、入力部３３、及び端末通信部３４の各々を制御する。
【００３２】
サーバ４は、図２に示すように、記憶部４０と、通信部４１と、処理部４２と、取得部４３と、決定部４４と、提示部４５と、計測部４６と、登録部４７と、更新部４８と、を有している。サーバ４は、ＣＰＵ及びメモリを有するコンピュータを主構成とする。サーバ４は、コンピュータのメモリに記録されたプログラムをＣＰＵにて実行することにより、取得部４３、決定部４４、提示部４５、処理部４２、計測部４６、登録部４７、及び更新部４８等の機能を実現する。プログラムは、コンピュータのメモリに予め記録されていてもよいし、電気通信回線を通じて提供されてもよいし、メモリカード等の記録媒体に記録されて提供されてもよい。
【００３３】
記憶部４０は、第１記憶部４０１、第２記憶部４０２、第３記憶部４０３、及び第４記憶部４０４を含んでいる。
【００３４】
第１記憶部４０１は、ユーザの属性を記憶する。１つの施設１について、一人のユーザの属性が記憶されてもよいし、複数人のユーザの属性が記憶されてもよい。本実施形態では、第１記憶部４０１には、少なくともユーザを識別するための識別情報、及びユーザ同士の関係性（父、母、兄、及び妹）が、施設１の住人である複数人のユーザの各々について記憶される。ここでは、識別情報は、各ユーザが所有する操作端末３の端末ＩＤである。第１記憶部４０１に記憶される情報は、例えば、操作端末３に対する所定の操作によって適宜設定され、自動的に、又は手動で更新される。
【００３５】
第２記憶部４０２は、ユーザの識別情報（端末ＩＤ）と機器２の機器ＩＤとの対応関係を記憶する。本実施形態では、第２記憶部４０２には、複数台の機器２の各々について、ユーザの識別情報（端末ＩＤ）と機器ＩＤとの対応関係が記憶される。具体的には、第２記憶部４０２には、機器ＩＤごとに、対応するユーザの属性（端末ＩＤ）が記憶されている。第２記憶部４０２に記憶される情報は、例えば、登録部４７にて自動的に登録及び更新される。
【００３６】
第３記憶部４０３は、ユーザごとの機器２の利用回数を記憶する。本実施形態では、第３記憶部４０３には、複数台の機器２の各々について、ユーザごとの利用回数が記憶される。具体的には、第３記憶部４０３には、機器ＩＤごとに、ユーザの識別情報（端末ＩＤ）ごとの利用回数が記憶されている。第３記憶部４０３に記憶される情報は、計測部４６にて随時更新される。
【００３７】
第４記憶部４０４は、施設１に設置されている複数台の機器２の属性を記憶する。機器２の属性は、例えば、機器２を識別するための機器ＩＤ、及び機器２の名称等を含んでいる。機器２の名称については、例えば、操作端末３等を用いてユーザが任意に設定できる。機器２の名称は、基本的には、「リビング・照明」のように、機器２が設置されている場所（エリア）と機器２の種別（空調機器、照明機器、又は洗濯機等）との両方を特定可能な名称が設定される。第４記憶部４０４に記憶される情報は、例えば、操作端末３に対する所定の操作によって適宜設定され、自動的に、又は手動で更新される。
【００３８】
通信部４１は、ネットワーク５に接続されることで、操作端末３及び機器２と、サーバ４との間の通信を可能にする。
【００３９】
処理部４２は、操作端末３にて実行される機器操作を実現するための処理を行う。具体的には、処理部４２は、通信部４１にて操作端末３と通信することにより、例えば、操作端末３にて入力された制御コマンドを受信する。また、処理部４２は、通信部４１にて操作対象である機器２と通信することにより、例えば、機器２に制御コマンドを送信して機器２の監視と制御との少なくとも一方を実行する。
【００４０】
取得部４３は、機器操作を操作端末３にて実行するユーザの属性を取得する。具体的には、取得部４３は、操作端末３にて機器操作が実行された際に、通信部４１から、通信相手である操作端末３の端末ＩＤを、ユーザの属性（識別情報）として取得する。すなわち、本実施形態では、取得部４３は、機器操作が実行された操作端末３の端末ＩＤを、ユーザの属性として取得する。
【００４１】
決定部４４は、取得部４３が取得したユーザの属性（端末ＩＤ）に応じて、操作端末３に提示させる提示情報の態様を決定する。決定部４４は、第２記憶部４０２に記憶されている情報を参照して、取得部４３が取得したユーザの属性に対応付けられた提示情報の態様を、操作端末３に提示させる提示情報の態様として決定する。本実施形態では、決定部４４は、複数台の機器２の各々について、ユーザの属性に応じて提示情報の態様を決定する。具体的には、決定部４４は、取得部４３にて機器操作を実行するユーザの属性が取得されると、このときの操作対象である機器２の機器ＩＤ、及びユーザの属性（端末ＩＤ）の組み合わせに基づいて、提示情報の態様を決定する。
【００４２】
本実施形態では、決定部４４は、ユーザの属性に応じて、提示情報の態様を、少なくとも機器２との対応関係の有／無によって、２段階で変化させる。例えば、あるユーザが頻繁に操作する機器２については、このユーザと第２記憶部４０２にて対応付けておくことにより、ユーザとの対応関係が有る機器２として、提示情報の態様を決定する。一方、あるユーザが殆ど操作しない機器２については、このユーザとの対応関係が無い機器２として、提示情報の態様を決定する。
【００４３】
提示部４５は、決定部４４で決定された態様にて、機器操作に際して提示情報を操作端末３に提示させる。具体的には、提示部４５は、通信部４１にて操作端末３と通信することにより、例えば、機器操作に際して操作端末３に提示させる情報（提示情報）を、決定部４４で決定された態様で送信（配信）する。これにより、操作端末３では、決定部４４で決定された態様にて、機器操作に際して提示情報が提示されることになる。
【００４４】
本実施形態では、操作端末３はブラウザとして機能するので、提示部４５は、提示画面を生成し、生成した提示画面（コンテンツ）を、通信部４１に出力し、ネットワーク５を介して操作端末３に配信（送信）する。これにより、提示情報としての提示画面が操作端末３の表示部３１に表示される。提示部４５は、操作端末３から要求があれば、提示画面を随時、操作端末３に表示させる。また、提示部４５は、適当に設定された通知タイミングにて、操作端末３に対してプッシュ通知を行って、提示画面を操作端末３に表示させてもよい。
【００４５】
計測部４６は、複数台の機器２の各々について、ユーザの属性ごとに利用回数を計測する。具体的には、計測部４６は、取得部４３にて機器操作を実行するユーザの属性が取得されると、このときの操作対象である機器２の機器ＩＤ、及びユーザの属性（端末ＩＤ）の組み合わせに基づいて、第３記憶部４０３に記憶されている情報を更新する。
【００４６】
登録部４７は、ユーザの識別情報（端末ＩＤ）と機器２の機器ＩＤとの対応関係を登録する。具体的には、登録部４７は、第３記憶部４０３に記憶されているユーザごとの機器２の利用回数に基づいて、識別情報（端末ＩＤ）と機器２の機器ＩＤとの対応関係を第２記憶部４０２に登録する。
【００４７】
更新部４８は、ユーザの属性の変化に応じて提示情報の態様を変化させる。具体的には、更新部４８は、第１記憶部４０１に記憶されているユーザの属性が変化すると、この変化に合わせて、決定部４４にて決定される提示情報の態様を更新する。例えば、更新部４８は、兄の成長に伴い兄の属性が小学生から中学生に変化すると、提示情報の態様を大人向けの態様に変化させる。
【００４８】
（２．３）情報提示方法
次に、本実施形態に係る情報提示方法について説明する。ここでは、上述した情報提示システム１０にて、情報提示方法が実現される場合について説明する。
【００４９】
本実施形態に係る情報提示方法は、取得ステップと、決定ステップと、提示ステップと、を有している。取得ステップでは、機器操作を操作端末３にて実行するユーザの属性を取得する。つまり、取得ステップでは、取得部４３がユーザの属性を取得する処理を行う。決定ステップでは、ユーザの属性に応じて、操作端末３に提示させる提示情報の態様を決定する。つまり、決定ステップでは、決定部４４が、取得部４３で取得されたユーザの属性に応じて、操作端末３に提示させる提示情報の態様を決定する処理を行う。提示ステップでは、決定ステップで決定された態様にて、機器操作に際して提示情報を操作端末３に提示させる。つまり、提示ステップでは、提示部４５が、決定部４４で決定された態様にて、機器操作に際して提示情報を操作端末３に提示させる処理を行う。
【００５０】
さらに、本実施形態では、機器操作の対象である操作対象は、複数台の機器２からなる。決定ステップでは、複数台の機器２の各々について、ユーザの属性に応じて提示情報の態様を決定する。また、決定ステップでは、ユーザの属性が特定の属性である場合に、提示情報の態様を、複数台の機器２にて共通化する。また、決定ステップでは、提示情報の態様を、ユーザの属性に応じて２段階で変化させる。本実施形態に係る情報提示方法は、ユーザの属性の変化に応じて提示情報の態様を変化させる更新ステップを更に有する。つまり、更新ステップでは、更新部４８が、ユーザの属性の変化に応じて提示情報の態様を変化させる。
【００５１】
以下、本実施形態に係る情報提示方法について、具体例を挙げて詳しく説明する。ここでは一例として、第１記憶部４０１に下記表１のようなユーザの属性が記憶されており、第２記憶部４０２に下記表２のような対応関係が記憶されており、第４記憶部４０４に下記表３のような機器２の属性が記憶されている場合を想定する。
【００５２】
【表１】
2018165918.tif 000003
【００５３】
【表２】
2018165918.tif 000004
【００５４】
【表３】
2018165918.tif 000005
【００５５】
このような前提において、本実施形態に係る情報提示方法によれば、下記具体例のような処理が実現される。
【００５６】
１つ目の具体例として、兄が、兄の部屋Ｒ２に設置された機器２Ｃ（空調機器）の運転を開始させるための機器操作を実行する場合について説明する。この場合、兄が、自身の所有する操作端末３Ｂにて、上記の機器操作を開始すると、操作端末３Ｂからサーバ４に対して、操作要求が送信される。操作要求には、少なくとも操作端末３Ｂの端末ＩＤと、操作対象である機器２Ｃの機器ＩＤとが含まれている。サーバ４では、操作要求を受けて、機器操作を操作端末３Ｂにて実行するユーザの属性を取得する（取得ステップ）。本実施形態では、操作要求に含まれる操作端末３Ｂの端末ＩＤにより、ユーザの属性が取得されることになる。このとき、サーバ４では、端末ＩＤが「００００３」のユーザ（兄）が、操作端末３Ｂにて機器操作を実行していることが認識される。
【００５７】
その後、サーバ４では、ユーザの属性に応じて、操作端末３Ｂに提示させる提示情報の態様を決定する（決定ステップ）。このとき、サーバ４では、まず第２記憶部４０２に記憶されている対応関係（表２参照）を参照し、端末ＩＤが「００００３」のユーザ（兄）に、機器ＩＤが「００００Ｃ」の機器２Ｃが対応付けられているか否かを確認する。表２の例では、両者は対応付けられているので、サーバ４では、機器２Ｃについて、このユーザ（兄）との対応関係が有ると判断される。この場合、サーバ４は、第１記憶部４０１に記憶されている情報を参照して、例えば、機器操作を実行しているユーザの年齢を特定し、この年齢に応じて、提示情報の態様を決定する。機器操作を実行しているユーザが兄である場合は、年齢が「１２」であるので、これに応じた提示情報の態様が選択される。具体的には、子供向けの提示情報の文体、言い回し（言葉づかい）、及び語尾等となるように、提示情報の態様が決定される。その結果、サーバ４では、例えば、「ＣＣＣ君の部屋の空調をつけるね。暑かったら言ってね。」というメッセージを操作端末３Ｂに表示又は音声出力させるための提示情報を、操作端末３Ｂに送信する（提示ステップ）。これにより、サーバ４は、決定ステップで決定された態様にて、機器操作に際して提示情報を操作端末３Ｂに提示させることができる。
【００５８】
２つ目の具体例として、父が、寝室Ｒ１に設置された機器２Ａ（空調機器）の運転を開始させるための機器操作を実行する場合について説明する。この場合、父が、自身の所有する操作端末３Ａにて、上記の機器操作を開始すると、操作端末３Ａからサーバ４に対して、操作要求が送信される。操作要求には、少なくとも操作端末３Ａの端末ＩＤと、操作対象である機器２Ａの機器ＩＤとが含まれている。サーバ４では、操作要求を受けて、機器操作を操作端末３Ａにて実行するユーザの属性を取得する（取得ステップ）。本実施形態では、操作要求に含まれる操作端末３Ａの端末ＩＤにより、ユーザの属性が取得されることになる。このとき、サーバ４では、端末ＩＤが「００００１」のユーザ（父）が、操作端末３Ａにて機器操作を実行していることが認識される。
【００５９】
その後、サーバ４では、ユーザの属性に応じて、操作端末３Ａに提示させる提示情報の態様を決定する（決定ステップ）。このとき、サーバ４では、まず第２記憶部４０２に記憶されている対応関係（表２参照）を参照し、端末ＩＤが「００００１」のユーザ（父）に、機器ＩＤが「００００Ａ」の機器２Ａが対応付けられているか否かを確認する。表２の例では、両者は対応付けられているので、サーバ４では、機器２Ａについて、このユーザ（父）との対応関係が有ると判断される。この場合、サーバ４は、第１記憶部４０１に記憶されている情報を参照して、例えば、機器操作を実行しているユーザの年齢を特定し、この年齢に応じて、提示情報の態様を決定する。機器操作を実行しているユーザが父である場合は、年齢が「４５」であるので、これに応じた提示情報の態様が選択される。具体的には、大人向けの提示情報の文体、言い回し（言葉づかい）、及び語尾等となるように、提示情報の態様が決定される。その結果、サーバ４では、例えば、「寝室の空調をつけます。暑ければおっしゃってください。」というメッセージを操作端末３Ａに表示又は音声出力させるための提示情報を、操作端末３Ａに送信する（提示ステップ）。これにより、サーバ４は、決定ステップで決定された態様にて、機器操作に際して提示情報を操作端末３Ａに提示させることができる。
【００６０】
３つ目の具体例として、兄が、寝室Ｒ１に設置された機器２Ａ（空調機器）の運転を開始させるための機器操作を実行する場合について説明する。この場合、兄が、自身の所有する操作端末３Ｂにて、上記の機器操作を開始すると、操作端末３Ｂからサーバ４に対して、操作要求が送信される。操作要求には、少なくとも操作端末３Ｂの端末ＩＤと、操作対象である機器２Ａの機器ＩＤとが含まれている。サーバ４では、操作要求を受けて、機器操作を操作端末３Ｂにて実行するユーザの属性を取得する（取得ステップ）。本実施形態では、操作要求に含まれる操作端末３Ｂの端末ＩＤにより、ユーザの属性が取得されることになる。このとき、サーバ４では、端末ＩＤが「００００３」のユーザ（兄）が、操作端末３Ｂにて機器操作を実行していることが認識される。
【００６１】
その後、サーバ４では、ユーザの属性に応じて、操作端末３Ｂに提示させる提示情報の態様を決定する（決定ステップ）。このとき、サーバ４では、まず第２記憶部４０２に記憶されている対応関係（表２参照）を参照し、端末ＩＤが「００００３」のユーザ（兄）に、機器ＩＤが「００００Ａ」の機器２Ａが対応付けられているか否かを確認する。表２の例では、両者は対応付けられていないので、サーバ４では、機器２Ａについて、このユーザ（兄）との対応関係が無いと判断される。この場合、サーバ４は、例えば、ユーザの属性に関係なく規定されているデフォルトの態様となるように、提示情報の態様を決定する。その結果、サーバ４では、例えば、「寝室の空調の運転を開始します。」というメッセージを操作端末３Ｂに表示又は音声出力させるための提示情報を、操作端末３Ｂに送信する（提示ステップ）。これにより、サーバ４は、決定ステップで決定された態様にて、機器操作に際して提示情報を操作端末３Ｂに提示させることができる。
【００６２】
ところで、本実施形態に係る情報提示方法は、ユーザの属性の変化に応じて提示情報の態様を変化させる更新ステップを更に有している。すなわち、情報提示システム１０は、第１記憶部４０１に記憶されているユーザの属性が変化すると、この変化に合わせて、更新部４８により、提示情報の態様を変化させる。例えば、兄の成長に伴い、兄の年齢が「１２」から「１３」に変化した場合を考える。この場合、兄の年齢が「１２」の状態において、決定ステップでは、例えば、「ＣＣＣ君の部屋の空調をつけるね。暑かったら言ってね。」というメッセージを操作端末３Ｂに表示又は音声出力させる。これに対し、兄の年齢が「１３」になると、決定ステップでは、例えば、「ＣＣＣ君の部屋の空調をつけます。暑ければおっしゃってください。」というメッセージを操作端末３Ｂに表示又は音声出力させる。また、第１記憶部４０１に記憶されているユーザの属性は、時計（カレンダ）機能等によって、時間経過に伴って自動的に変更されてもよいし、ユーザにより手動で変更されてもよい。また、ユーザの属性の変化は、年齢の変化に限らず、例えば、生活環境の変化（進学、就職等）、又は心境の変化（反抗期、思春期等）等であってもよい。
【００６３】
また、決定ステップにて決定される提示情報の態様には、機器２の呼び方（呼び名）が含まれていてもよい。これにより、例えば、操作対象の機器ＩＤと、機器操作を実行するユーザの識別情報とが対応付けられており、かつ同一の識別情報に対して操作対象と同一種別の機器２の機器ＩＤが対応付けられていない場合、提示情報の態様として機器２の設置場所を省略できる。すなわち、操作対象である機器２が、同一種別の機器２としては、このユーザに対応付けられている唯一の機器２である場合、提示情報では、機器２の名称から設置場所が省略されてもよい。例えば、寝室Ｒ１の照明機器である機器２Ｂについて、この機器２Ｂに対応付けられていないユーザ（例えば妹）が機器操作を実行する際には、機器２Ｂを「寝室の照明」と呼ぶように、提示情報の態様が決定される。一方、これと同一の機器２Ｂについて、この機器２Ｂに対応付けられているユーザ（例えば父）が機器操作を実行する際には、機器２Ｂを単に「照明」と呼ぶように、提示情報の態様が決定される。
【００６４】
また、決定ステップでは、ユーザの属性が特定の属性である場合に、提示情報の態様を、複数台の機器２にて共通化してもよい。すなわち、例えば、ユーザの属性が施設１の管理者としての属性である場合には、施設１に設置されている全ての機器２について、提示情報の態様が統一されてもよい。ユーザの属性が特定の属性であるか否かは、例えば、ユーザの属性に、管理者フラグを含めることにより、管理者フラグの有／無により判定することができる。また、ユーザの属性に含まれている「関係性」が、例えば、「父」又は「母」のように、施設１を管理する立場であることを示す場合に、サーバ４は、ユーザの属性が特定の属性であると判定してもよい。例えば、ユーザの属性が特定の属性となる父が機器操作を実行する場合、操作対象が、父に対応付けられている機器２Ａでも、父に対応付けられていない機器２Ｃでも、提示情報の態様が同一になる。要するに、機器２Ａの操作に際しては、提示ステップでは、上記２つ目の具体例のように、例えば、「寝室の空調をつけます。暑ければおっしゃってください。」というメッセージを操作端末３Ａに表示又は音声出力させる。機器２Ｃの操作に際してもこれと同様に、提示ステップでは、例えば、「兄の部屋の空調をつけます。暑ければおっしゃってください。」というメッセージを操作端末３Ａに表示又は音声出力させる。
【００６５】
また、決定ステップにおいて、機器操作の度に提示情報の態様を決定し直すことは必須ではなく、例えば、一度決定した提示情報の態様を、以降の機器操作の際に援用してもよい。すなわち、例えば、決定部４４が決定した提示情報の態様を、第２記憶部４０２（又はその他の記憶部）に、ユーザの識別情報（端末ＩＤ）及び機器２の機器ＩＤの組み合わせと対応付けて記憶することで、一度決定した提示情報の態様を再利用可能となる。例えば、上記１つ目の具体例のように、兄が、兄の部屋Ｒ２に設置された機器２Ｃの機器操作を実行した際に、子供向けの提示情報の文体、言い回し（言葉づかい）、及び語尾等となるように、提示情報の態様が決定された場合を想定する。この場合、兄の識別情報「００００３」、及び機器２Ｃの機器ＩＤ「００００Ｃ」の組み合わせと対応付けて、上記の提示情報の態様が、例えば、第２記憶部４０２に記憶される。この場合において、再び、兄が、兄の部屋Ｒ２に設置された機器２Ｃの機器操作を実行すると、決定部４４は、上記の提示情報の態様を読み出すだけで、提示情報の態様を決定することができる。これにより、２回目以降の機器操作に際しては、決定ステップにおいて、ユーザ（兄）に機器２Ｃが対応付けられているか否かを確認したり、ユーザの年齢を特定したりする処理が不要となり、処理の簡略化を図ることができる。
【００６６】
（２．４）登録動作
次に、本実施形態に係る情報提示方法において、ユーザの識別情報（端末ＩＤ）と機器２の機器ＩＤとの対応関係を登録する登録部４７の動作（登録処理）について、図３のフローチャートを参照して説明する。
【００６７】
すなわち、本実施形態に係る情報提示方法は、複数台の機器２の各々について、ユーザの属性ごとに利用回数を計測部４６にて計測する計測ステップを更に有している。図３に示すように、登録部４７は、第３記憶部４０３に記憶されている情報（利用回数）が計測部４６にて更新されると、更新された利用回数を第３記憶部４０３から取得する（Ｓ１）。このとき、登録部４７では、更新された利用回数を、対応するユーザの識別情報（端末ＩＤ）及び機器ＩＤと共に取得する。次に、登録部４７は、取得したユーザの識別情報（端末ＩＤ）と機器ＩＤとの対応関係が、第２記憶部４０２に登録（記憶）されているか否かを判断する（Ｓ２）。対応関係が登録済みであれば（Ｓ２：Ｙｅｓ）、登録部４７は登録処理を終了する。対応関係が登録済みでなければ（Ｓ２：Ｎｏ）、登録部４７は、取得した利用回数を所定の閾値（例えば３０回）と比較する（Ｓ３）。利用回数が閾値以下であれば（Ｓ４：Ｎｏ）、登録部４７は登録処理を終了する。利用回数が閾値より多ければ（Ｓ４：Ｙｅｓ）、登録部４７は、取得したユーザの識別情報（端末ＩＤ）と機器ＩＤとの対応関係を、第２記憶部４０２に登録（記憶）する（Ｓ５）。
【００６８】
ここまでの処理（Ｓ１〜Ｓ５）により、例えば、機器２Ｇを妹が頻繁に利用した結果、兄による機器２Ｇの利用回数が閾値を超えれば、妹の識別情報「００００４」と、機器２Ｇの機器ＩＤ「００００Ｇ」との対応関係が、第２記憶部４０２に登録される。
【００６９】
さらに、図３の例では、登録部４７は、ステップＳ５で登録した機器ＩＤの機器２と、設置場所が同一である機器２を「別の機器２」とし、別の機器２の利用回数を第３記憶部４０３から取得する（Ｓ６）。登録部４７は、この別の機器２の機器ＩＤと上記ユーザの識別情報（端末ＩＤ）との対応関係が、第２記憶部４０２に登録（記憶）されているか否かを判断する（Ｓ７）。対応関係が登録済みであれば（Ｓ７：Ｙｅｓ）、登録部４７は登録処理を終了する。対応関係が登録済みでなければ（Ｓ７：Ｎｏ）、登録部４７は、上記ユーザの識別情報（端末ＩＤ）と別の機器２の機器ＩＤとの対応関係を、第２記憶部４０２に登録（記憶）する（Ｓ８）。
【００７０】
ステップＳ６〜Ｓ８によれば、例えば、ステップＳ５にて妹と機器２Ｇとの対応関係が登録された場合、機器２Ｇと設置場所が同一（つまりリビングＲ４）である機器２Ｈについても、妹との対応関係が第２記憶部４０２に登録されることになる。ただし、ステップＳ６〜Ｓ８は、登録部４７の動作（登録処理）において必須ではない。
【００７１】
以上説明したように、登録処理によれば、ユーザごとの機器２の利用回数に基づいて、ユーザの識別情報（端末ＩＤ）と機器２の機器ＩＤとの対応関係が自動的に登録（更新）される。そして、「（２．３）情報提示方法」の欄で説明したように、決定ステップでは、このようにして登録される対応関係に基づいて、提示情報の態様が決定されることになる。結果的に、決定ステップでは、複数台の機器２の各々について、ユーザの属性に対応する利用回数に基づいて、提示情報の態様が決定されることになる。
【００７２】
（３）変形例
上記実施形態は、本発明の様々な実施形態の一つに過ぎない。上記実施形態は、本発明の目的を達成できれば、設計等に応じて種々の変更が可能である。以下に、上記実施形態の変形例について列記する。なお、以下に説明する変形例は、適宜組み合わせて適用可能である。
【００７３】
第１の変形例として、決定ステップでは、提示情報の態様を、ユーザの属性に応じて３段階以上で変化させてもよい。すなわち、上記実施形態においては、決定ステップでは、ユーザの属性に応じて、提示情報の態様を、機器２との対応関係の有／無により２段階で変化させているが、３段階以上で変化させてもよい。例えば、第２記憶部４０２に記憶されているユーザの識別情報（端末ＩＤ）と機器２の機器ＩＤとの対応関係を、「親近度」として数値化することによって、提示情報の態様を３段階以上で変化させることができる。この場合、決定ステップでは、ユーザの属性に応じて、提示情報の態様を、機器２との対応関係である「親近度」の大きさにより、３段階以上で変化させることになる。例えば、ユーザごとの機器２の利用回数が増えるにつれて、「親近度」を「１」、「２」、「３」というように、段階的に大きくする。そして、決定ステップでは、「親近度」に合せて提示情報の態様を変えることにより、提示情報の態様を、ユーザの属性に応じて３段階以上で変化させることができる。
【００７４】
第１の変形例の具体例として、兄が、兄の部屋Ｒ２に設置された機器２Ｃ（空調機器）の運転を開始させるための機器操作を実行する場合について説明する。この場合に、第２記憶部４０２に記憶されている対応関係（親近度）が「１」であれば、決定ステップでは、「ＣＣＣ君の部屋の空調をつけるね。」というメッセージを操作端末３Ｂに表示又は音声出力させる。また、第２記憶部４０２に記憶されている対応関係（親近度）が「２」であれば、決定ステップでは、「ＣＣＣ君の部屋の空調をつけるね。暑かったら言ってね。」というメッセージを操作端末３Ｂに表示又は音声出力させる。また、第２記憶部４０２に記憶されている対応関係（親近度）が「３」であれば、決定ステップでは、「今日も暑いね。ＣＣＣ君の部屋の空調をつけるね。」というメッセージを操作端末３Ｂに表示又は音声出力させる。
【００７５】
また、識別情報（端末ＩＤ）と機器２の機器ＩＤとの対応関係（又は第１変形例における親近度）は、ユーザごとの機器２の利用回数以外の情報に基づいて登録されてもよい。例えば、ユーザごとの機器２の利用時間（累積時間）、又は一定期間における利用頻度等に基づいて、識別情報（端末ＩＤ）と機器２の機器ＩＤとの対応関係（又は第１変形例における親近度）が自動的に登録されてもよい。また、操作端末３に対する所定の操作によって、識別情報（端末ＩＤ）と機器２の機器ＩＤとの対応関係（又は第１変形例における親近度）が手動で設定されてもよい。
【００７６】
また、複数台の機器２がある場合に、提示情報の態様が機器２ごとに異なってもよい。例えば、兄の部屋Ｒ２の機器２Ｃ（空調機器）と機器２Ｄ（照明機器）とが、いずれも兄に対応付けられている場合に、機器２Ｃと機器２Ｄとで、兄による機器操作に際しての提示情報の態様が異なっていてもよい。言い換えれば、同一のユーザに対応付けされている機器２（機器２Ｃ及び機器２Ｄ）同士でも、機器操作に際しての提示情報の態様が異なってもよい。これにより、情報提示システム１０は、ユーザに対し、機器２ごとに異なる人格が付与されているように見せかけることができる。
【００７７】
また、情報提示システム１０が適用される施設１は、住宅以外の施設、例えば、福祉施設、病院、事務所又は店舗等の非住宅であってもよい。
【００７８】
また、情報提示システム１０は、上記実施形態では、サーバ４、及び操作端末３にて実現されているが、この構成に限らず、例えば、サーバ４、及び操作端末３の一方のみで実現されてもよい。例えば、取得部４３、決定部４４、及び提示部４５の機能が、全て操作端末３に設けられていてもよく、この場合、サーバ４は情報提示システム１０に必須の構成でない。取得部４３、決定部４４、及び提示部４５の機能が操作端末３に設けられている場合、サーバ４から配信される提示情報はユーザの属性によらず、操作端末３が実際に提示（表示）する提示情報が、ユーザの属性に応じて変化する。
【００７９】
また、取得部４３、決定部４４、及び提示部４５のうちの少なくとも１つの機能が、サーバ４、及び操作端末３に分散して設けられてもよい。また、サーバ４、及び操作端末３の各々の機能が、複数の装置に分散して設けられていてもよい。例えば、サーバ４の機能が複数の装置（サーバ）に分散して設けられる場合には、取得部４３と決定部４４とが別々の装置に設けられてもよい。情報提示システム１０の少なくとも一部の機能は、例えば、クラウド（クラウドコンピューティング）によって実現されてもよい。
【００８０】
また、情報提示システム１０は、例えば、施設１内に設置されるローカル装置を更に備えていてもよい。ローカル装置は、ネットワーク５を介してサーバ４と通信可能に構成される。また、ローカル装置は、ネットワーク５若しくはルータ６を介して、又は直接的に、施設１に設置されている機器２と通信可能に構成される。ローカル装置と機器２とが直接的に通信する場合、両者間の通信方式は、例えば、免許を必要としない小電力無線（特定小電力無線）、又はＷｉ−Ｆｉ（登録商標）等の無線通信である。ローカル装置は、いわゆるＨＥＭＳ（Home Energy Management System）コントローラであって、機器２の監視及び制御を実行する。この場合、情報提示システム１０の機能は、サーバ４とローカル装置とに分散して設けられてもよい。
【００８１】
また、操作端末３は、スマートフォン又はタブレット端末等の携帯情報端末に限らず、例えば、施設１内の定位置に設置される専用のモニタ装置、パーソナルコンピュータ、又はスマートテレビ等のネットワーク５に接続可能な情報端末であってもよい。
【００８２】
また、上記実施形態では、操作端末３ごとに所有者が異なっているため、個々の操作端末３に設定された端末ＩＤが、ユーザを識別するための識別情報として用いられているが、識別情報が端末ＩＤとは異なっていてもよい。例えば、ログインＩＤ（ユーザＩＤ）、生体情報（指紋、声紋、及び虹彩等）、又は行動パターン等が、ユーザを識別するための識別情報として用いられてもよい。この場合、複数のユーザが操作端末３を共用しても、実際に機器操作を実行するユーザを、識別情報にて識別することが可能である。
【００８３】
また、機器２、操作端末３、及びサーバ４間の通信方式は、上述した例に限らず、例えば、有線通信であってもよい。
【００８４】
また、操作対象となる機器２は、空調機器及び照明機器に限らず、例えば、空気清浄機、電動シャッタ、給湯機、テレビ受像機、洗濯機、及び冷蔵庫等であってもよいし、太陽光発電設備等の電力を生成する機器であってもよい。
【００８５】
また、上記実施形態では、機器操作に際して操作端末３に提示させる提示情報の態様を、機器操作を実行するユーザの属性に応じて決定することについて説明したが、操作端末３に対する入力についても、ユーザの属性に応じて態様が異なってもよい。具体例として、父に対応付けられている寝室Ｒ１に設置された機器２Ａ（空調機器）についての機器操作を例示する。この場合、父が機器操作を実行する場合には、ユーザ（父）が「いつもの温度にして。」と言うだけで、情報提示システム１０は、規定の設定温度になるよう機器２Ａを制御する。一方、兄が機器操作を実行する場合には、ユーザ（兄）が「いつもの温度にして。」と言ったとしても、情報提示システム１０は、ユーザからの指示を無効にし、機器２Ａの制御は行わない。
【００８６】
また、上記実施形態に係る情報提示方法によれば、施設１内に居るユーザが機器操作を実行する場合に限らず、施設１外に居るユーザが機器操作を実行する場合にも、同様に提示情報の態様を、ユーザの属性に応じて変化させることができる。この場合、端末通信部３４は、通信事業者が提供する携帯電話網（キャリア網）を介して、ネットワーク５に接続される。携帯電話網には、例えば３Ｇ（第３世代）回線、ＬＴＥ（Long Term Evolution）回線等がある。端末通信部３４は、公衆無線ＬＡＮ（Local Area Network）を介してネットワーク５に接続されてもよい。一例として、インターホン装置（親機）からなる機器２に関して、来客の通知又は子器で撮像された映像等を提示情報として、施設１外のユーザに提示する場合について説明する。この場合において、外出中の妹の操作端末３Ｄに提示情報を提示させるときには、例えば「お客さんだよ。知らない人ならお父さんに知らせてね。」等の、子供向けの態様で提示情報を提示させる。一方、外出中の父の操作端末３Ａに提示情報を提示させるときには、例えば「来客ですよ。」等の、大人向けの態様で提示情報を提示させる。
【００８７】
（４）まとめ
以上説明したように、第１の態様に係る情報提示方法は、取得ステップと、決定ステップと、提示ステップと、を有する。取得ステップでは、施設１に設置されている１台以上の機器２を操作対象として、操作対象の監視と制御との少なくとも一方のための機器操作を操作端末３にて実行するユーザの属性を取得する。決定ステップでは、ユーザの属性に応じて、操作端末３に提示させる提示情報の態様を決定する。提示ステップでは、決定ステップで決定された態様にて、機器操作に際して提示情報を操作端末３に提示させる。
【００８８】
この態様によれば、機器操作に際して操作端末３に提示される提示情報がどのような態様で提示されるかが、機器操作を実行するユーザの属性によって変化する。言い換えれば、機器操作のために操作端末３に提示される提示情報の態様は、固定的ではなく、実際に機器操作を行うユーザによって変化する。特に、例えばユーザの年齢等、ユーザの属性に応じて、提示情報の態様を変えることによって、機械的ではなく、ユーザの属性に合せた個性を持つ、ユーザインタフェースを実現することができる。これにより、ユーザに対しては、機器操作に際し、施設１、又は施設１に設置されている機器２が人格を有するように見せかけることができる。したがって、この情報提示方法によれば、機器２についての情報がユーザに受け入れられやすくなる、という利点がある。
【００８９】
第２の態様に係る情報提示方法は、第１の態様において、操作対象は複数台の機器２からなり、決定ステップでは、複数台の機器２の各々について、ユーザの属性に応じて提示情報の態様を決定することが好ましい。この態様によれば、複数台の機器２について一律に提示情報の態様が決定されるのではなく、機器２ごとに提示情報の態様が決定されることになる。したがって、例えば、頻繁に利用する機器２については、提示情報の態様を、ユーザが親近感を感じるような態様とすることで、機器操作に際し、ユーザに親近感を与えることができる。反対に、殆ど利用しない機器２については、提示情報の態様を、ユーザが他人行儀に感じるような態様とすることで、機器操作に際し、ユーザによそよそしい感覚を与えることができる。その結果、特定の機器２の操作に際し、ユーザに特別感を与えることができる。
【００９０】
第３の態様に係る情報提示方法は、第２の態様において、複数台の機器２の各々について、ユーザの属性ごとに利用回数を計測する計測ステップを更に有する。決定ステップでは、複数台の機器２の各々について、ユーザの属性に対応する利用回数に基づいて、提示情報の態様を決定することが好ましい。この態様によれば、機器２の利用回数に応じて提示情報の態様が自動的に決定されるので、例えば、頻繁に利用する機器２については、提示情報の態様を、ユーザが親近感を感じるような態様とすることで、機器操作に際し、ユーザに親近感を与えることができる。
【００９１】
第４の態様に係る情報提示方法は、第２又は３の態様において、決定ステップでは、ユーザの属性が特定の属性である場合に、提示情報の態様を、複数台の機器２にて共通化することが好ましい。この態様によれば、例えば、施設１を管理する立場であるユーザが機器操作を実行する場合に、機器２ごとに提示情報の態様を変えず、複数台の機器２にて提示情報の態様を共通化することで、ユーザが煩わしく感じにくい。
【００９２】
第５の態様に係る情報提示方法は、第１〜４のいずれかの態様において、決定ステップでは、提示情報の態様を、ユーザの属性に応じて２段階で変化させることが好ましい。この態様によれば、例えば、ユーザと機器２との対応関係の有／無により、提示情報の態様を２段階で変化させればよく、提示情報の態様が多様化することによる処理リソースの増加を抑制できる。
【００９３】
第６の態様に係る情報提示方法は、第１〜４のいずれかの態様において、決定ステップでは、提示情報の態様を、ユーザの属性に応じて３段階以上で変化させることが好ましい。この態様によれば、例えば、ユーザと機器２との対応関係である「親近度」の大きさにより、提示情報の態様を３段階以上で変化させることで、提示情報の態様を多様化することができる。
【００９４】
第７の態様に係る情報提示方法は、第１〜６のいずれかの態様において、ユーザの属性の変化に応じて提示情報の態様を変化させる更新ステップを更に有することが好ましい。この態様によれば、例えばユーザの年齢等、ユーザの属性が変化すれば、これに応じて提示情報の態様も自動的に変化するため、ユーザの属性の変化に合わせた、適切な態様の提示情報を提示させることができる。
【００９５】
第８の態様に係るプログラムは、コンピュータシステムに、第１〜７のいずれかの態様に係る情報提示方法を実行させるためのプログラムである。すなわち、上述した情報提示方法と同等の機能は、上記プログラムによっても具現化することができる。このようなプログラムは、例えばコンピュータシステムの１つ又は複数のコンピュータにて実行される。プログラムは、インターネット等の電気通信回線を通じて提供されてもよいし、メモリカード等の記録媒体に記録されて提供されてもよいし、コンピュータのメモリに予め記録されていてもよい。このプログラムによれば、機器２についての情報がユーザに受け入れられやすくなる、という利点がある。
【００９６】
第９の態様に係る情報提示システム１０は、取得部４３と、決定部４４と、提示部４５と、を備える。取得部４３は、施設１に設置されている１台以上の機器２を操作対象として、操作対象の監視と制御との少なくとも一方のための機器操作を操作端末３にて実行するユーザの属性を取得する。決定部４４は、ユーザの属性に応じて、操作端末３に提示させる提示情報の態様を決定する。提示部４５は、決定部４４で決定された態様にて、機器操作に際して提示情報を操作端末３に提示させる。すなわち、上述した情報提示方法と同等の機能は、上記情報提示システム１０によっても具現化することができる。この情報提示システム１０によれば、機器２についての情報がユーザに受け入れられやすくなる、という利点がある。
【００９７】
上記プログラム又は情報提示システム１０によって情報提示方法が具現化される場合でも、上述した種々の構成、及び変形例を適宜組み合わせて適用可能である。
【００９８】
また、第２〜７の態様は、情報提示方法において必須ではなく、適宜省略可能である。
【符号の説明】
【００９９】
１  施設
２，２Ａ〜２Ｈ  機器
３，３Ａ〜３Ｄ  操作端末
１０  情報提示システム
４３  取得部
４４  決定部
４５  提示部
【図１】
2018165918.tif 000006
【図２】
2018165918.tif 000007
【図３】
2018165918.tif 000008